(57)【要約】復号器と、復号器に試験データを供給する試験装置とを備える電気通信システムにおいて復号の性能を決定する方法。信号フレーム・フォーマットの信号データを備える試験データが生成され、その試験データは２つの連続フレームにマッピングされ試験装置から復号器に復号のため送信される。信号データは受信された２つの試験データ・フレームから復号され、１フレームに符号化されて試験装置に返送される。送信された信号データと受信された信号データとを試験装置中で比較することによって復号の性能が決定される。
2004530339.tif 000002
【特許請求の範囲】
【請求項１】
復号器と、前記復号器に試験データを供給する試験装置とを備える電気通信システムにおいて復号の性能を決定する方法であって、前記方法が、
信号フレーム・フォーマットの信号データを備える試験データを生成するステップと、
２つの連続フレームにマッピングされた前記試験データを復号のため前記試験装置から前記復号器に送信するステップとを含み、
前記信号データを受信した２つの試験データ・フレームから復号するステップと、
１フレームに符号化された前記復号信号データを前記試験装置に返送するステップと、
前記試験装置中で前記送信された信号データと前記受信された信号データとを比較することによって復号の性能を決定するステップとを特徴とする方法。
【請求項２】
復号器と、前記復号器に試験データを供給する試験装置とを備える電気通信システムにおいて復号の性能を決定する方法であって、前記方法が、
信号フレーム・フォーマットの信号データを備える試験データを生成するステップと、
２つの連続フレームにマッピングされた前記試験データを復号のため前記試験装置から前記復号器に送信するステップとを含み、
前記試験データを１度に１フレーム受信するステップと、
前記復号器中で、前記受信された試験データ・フレームから前記試験データを抽出するステップと、
前記試験データ・フレームを前記試験装置に返送するステップと、
前記試験装置中で前記送信された信号データと前記受信された信号データとを比較することによって復号の性能を決定するステップとを特徴とする方法。
【請求項３】
音声フレームの長さを有する１フレームに符号化された前記試験データ・フレームを前記試験装置に返送するステップを特徴とする、請求項２に記載の方法。
【請求項４】
前記試験データを送信する前に、前記電気通信システムのトラフィック・チャネルを起動するステップと、
前記試験データを、ダウンリンク・トラフィック・チャネルでは前記試験装置から前記復号器に、かつアップリンク・トラフィック・チャネルでは前記復号器から前記試験装置に送信するステップとを特徴とする、請求項１〜請求項３の何れか１つに記載の方法。
【請求項５】
最初に利用可能なアップリンク・トラフィック・チャネル・タイムフレームで前記信号データを前記試験装置に返送するステップを特徴とする、請求項４に記載の方法。
【請求項６】
前記試験データを送信する前に、前記復号器との機能的接続において実現される試験ループを前記復号器中で起動するため、前記試験装置からメッセージを送信するステップと、
前記トラフィック・チャネルが起動されたことに応答して、前記復号器から前記試験装置への前記メッセージを肯定応答するステップとを特徴とする、請求項４または請求項５に記載の方法。
【請求項７】
前記メッセージが、ＧＳＭシステムによるＣＬＯＳＥ＿ＴＣＨ＿ＬＯＯＰ＿ＣＭＤメッセージのビットの組合せであることを特徴とする、請求項６に記載の方法。
【請求項８】
ＡＭＲハーフレート音声チャネルにおけるＲＡＴＳＣＣＨフレームのチャネル復号の性能を決定するステップを特徴とする、先行する任意の請求項に記載の方法。
【請求項９】
ＡＭＲハーフレート音声チャネルにおけるＳＩＤ＿ＵＰＤＡＴＥフレームのチャネル復号の性能を決定するステップを特徴とする、請求項１〜請求項７の何れか１つに記載の方法。
【請求項１０】
復号器の性能を決定する試験装置であって、前記試験装置が前記復号器に機能的に接続されるよう配置され、前記試験装置が、
信号データを備える試験データを構成する構成手段と、
２つの連続フレームにマッピングされた前記試験データを復号のため前記復号器に送信する送信機とを備え、
前記復号器から１フレームの前記試験データを受信する受信機であって、前記試験データが前記信号データを備える受信機と、
前記送信された信号データと前記受信された信号データとを比較することによって復号の性能を決定する比較器とをさらに備えることを特徴とする試験装置。
【請求項１１】
復号器の性能を決定する試験装置であって、前記試験装置が前記復号器に機能的に接続されるよう配置され、前記試験装置が、
信号データを備える試験データを構成する構成手段と、
２つの連続フレームにマッピングされた前記試験データを復号のため前記復号器に送信する送信機とを備え、
前記試験データを１度に１フレーム受信する受信機と、
前記送信された信号データと前記受信された信号データとを比較することによって復号の性能を決定する比較器とをさらに備えることを特徴とする試験装置。
【請求項１２】
前記試験装置が、
前記試験データを送信する前に前記復号器に向かうトラフィック・チャネルを起動し、
ダウンリンク・トラフィック・チャネルで前記試験データを前記復号器に送信し、
アップリンク・トラフィック・チャネルで前記試験データを前記復号器から受信するよう配置されることを特徴とする、請求項１０または請求項１１に記載の試験装置。
【請求項１３】
前記試験装置が、
前記試験データを送信する前に、前記復号器との機能的接続において実現される試験ループを前記復号器中で起動するためメッセージを前記復号器に送信し、
前記トラフィック・チャネルが起動されたことに応答して、前記復号器からの前記メッセージの肯定応答を受信するよう配置される、請求項１２に記載の試験装置。
【請求項１４】
移動局であって、
２つの連続フレームにマッピングされた信号データを備える試験データを試験装置から受信する受信機と、
前記試験データを復号する復号器とを備え、
前記復号器が前記受信された２つの試験データ・フレームから前記試験データを復号するよう配置されることと、
前記移動局が、１フレームに符号化された前記符号化試験データを前記試験装置に返送する送信機をさらに備えることとを特徴とする移動局。
【請求項１５】
移動局であって、
２つの連続フレームにマッピングされた信号データを備える試験データを試験装置から受信する受信機と、
前記試験データを復号する復号器とを備え、
前記復号器が前記試験データを１度に１フレーム受信し、前記復号器中で前記受信された試験データ・フレームから前記試験データを抽出するよう配置されることと、
前記移動局が、前記試験データを前記試験装置に返送する送信機をさらに備えることとを特徴とする移動局。
【発明の詳細な説明】
【技術分野】
【０００１】
本発明は、電気通信システムにおける復号の性能を測定する方法に関する。
【０００２】
無線デジタル電気通信では、アナログ音声情報は送信前にデジタル形式に符号化した後、信号受信時の十分な音声品質を保証するため、チャネル（通信路）符号化によって保護しなければならない。例えば、従来のＧＳＭ音声符号化では、音声コーデックは固定レートであった。ＧＳＭシステムでは、２つのフルレート音声コーデックと１つのハーフレート音声コーデックとが使用されていた。フルレート音声コーデックは１３または１２．２ｋｂｉｔ／ｓ何れかの出力ビットレートを有し、ハーフレート音声コーデックは５．６ｋｂｉｔ／ｓの出力ビットレートを供給する。符号化音声パラメータであるこうした出力ビットはチャネル符号器に供給される。チャネル符号化は、情報シーケンスへの冗長性の追加を担当する機能の集合である。符号化は普通、一定の数の入力ビットに対して行われる。チャネル符号器の出力ビットレートはフルレート・トラフィック・チャネルでは２２．８ｋｂｉｔ／ｓ、またハーフレート・トラフィック・チャネルでは１１．４ｋｂｉｔ／ｓに調整される。
【０００３】
すなわち、従来のＧＳＭコーデックは全て、通信路の品質と無関係に、音声及び通信路間の符号化ビットレートの固定パーティショニングによって動作する。こうしたビットレートは、トラフィック・チャネルの変更が行われない限り変更されず、その上これは緩慢な処理である。その結果、これは一方では、望ましい音声品質を考慮するとあまり柔軟でないアプローチであり、他方ではシステム能力の最適化の結果、ＡＭＲ（適応マルチレート）コーデックが開発されることになった。
【０００４】
ＡＭＲコーデックはチャネルの品質に応じて音声及びチャネル間の符号化ビットレートのパーティショニングを適応化し、可能な最良の総合音声品質を提供する。ＡＭＲ音声符号器は、マルチレート音声符号器と、音声アクティビティ検出器及びコンフォートノイズ生成システムを含むソース制御レート・スキームと、伝送エラー及び損失パケットの影響を抑制するエラー隠蔽機構とからなる。マルチレート音声符号器は、４．７５ｋｂｉｔ／ｓから１２．２ｋｂｉｔ／ｓの８つのソースレートと低レート背景雑音符号化モードとによる単一の統合音声コーデックである。
【０００５】
例えばＧＳＭシステムで使用されるコーデックについて設定されるいくつかの性能基準が存在し、その性能は、例えば任意のトラフィック・チャネル（ＴＣＨ）上の受信データのフレーム消失率（ＦＥＲ）、ビットエラー率（ＢＥＲ）または残余ビットエラー率（ＲＢＥＲ）によって測定できる。さらに、性能測定の自動化を可能にするため、１組の試験ループが開発された。１組の所定の試験ループをシステム・シミュレータに接続された移動局に実装する。システム・シミュレータは特定の試験ループを起動し、無作為または所定の試験データをコーデックに供給し始める。移動局はチャネル復号を行った後に得られるデータをシステム・シミュレータにループバックする。すると、システム・シミュレータはループバックされたデータを送信したデータと比較できる。こうして、例えばコーデックのチャネル復号器部分の性能をいくつかの基準について測定できる。
【０００６】
上記で説明した機構に伴う問題は、こうした試験ループが以前のＧＳＭコーデックに特に適するように設計されていることである。しかし、ＡＭＲコーデックには、以前のコーデックに含まれないいくつかの機能が含まれるため、周知の試験ループを使用してＡＭＲコーデックの全ての機能を試験することはできない。
【０００７】
発明の概要
すなわち、本発明の目的は、上記の問題のうち少なくともいくつかを回避する改善された方法及びその方法を実現する装置を提供することである。本発明のこの目的は、独立請求項に記載の方法及び装置によって達成される。本発明の好適実施形態は従属請求項で開示される。
【０００８】
本発明の基本となる考え方は、復号器と、試験データを復号器に供給する試験装置とを備える電気通信システムで復号の性能を決定する場合、試験装置中で試験データを生成することによって測定が開始されるが、この試験データは信号フレーム・フォーマットの信号データ・フィールドを備え、次に２つの連続フレームにマッピングされ、その後復号器に送信されて復号される。復号器は、受信した２つの試験データ・フレームから信号データ・フィールドを復号し、１つのフレームに符号化した復号信号データ・フィールドを試験装置に返送するので、音声パラメータまたは何らかの他のデータは送信されない。その後、試験装置中で送信された信号データ・フィールドと受信された信号データ・フィールドとを比較することによって復号の性能を決定する。
【０００９】
本発明の別の実施形態の基本となる考え方は、復号器と、試験データを復号器に供給する試験装置とを備える電気通信システムで復号の性能を測定する場合、試験装置中で試験データを生成することによって測定が開始されるが、この試験データは信号フレーム・フォーマットの信号データ・フィールドを備え、次に２つの連続フレームにマッピングされ、その後復号器に送信されて復号される。復号器は受信した２つの試験データ・フレームを別々に抽出し、音声フレームの長さを有する１つのフレーム・フォーマットで符号化した２つの試験データを各々試験装置に返送するので、音声パラメータまたは何らかの他のデータは送信されない。その後、試験装置中で送信された信号データ・フィールドと受信された信号データ・フィールドとを比較することによって復号の性能を決定する。
【００１０】
本発明による方法及び装置の利点は、２つのフレームの長さを有する信号データ用の復号器の性能も測定できることである。本発明の別の利点は、２つのフレームの長さを有する信号データの復号に関する同期の問題である。本発明のさらなる利点は、わずかな修正を加えるだけで、既存の試験装置が使用可能なことである。
【００１１】
発明の詳細な説明
本発明は、本発明の実施形態のための好適なプラットフォームとしてＧＳＭシステムを使用して、以下さらに詳細に説明される。しかし、本発明はＧＳＭシステムだけに制限されるものではなく、試験ループを実現することで同様の問題に遭遇する任意の対応するシステムで利用できる。従って、本発明は、例えば、やはりＡＭＲ（適応マルチレート）コーデックをサポートするＷＣＤＭＡ（広帯域符号分割多重アクセス）システムに適応できる。
【００１２】
図１は、一部で本発明の方法が利用される、無線システムの一例を示す。提示されるセルラ無線システムは、基地局制御装置１２０と、無線基地局装置１１０と、１組の加入者端末１００、１０１とを備える。無線基地局装置１１０と加入者端末とはセルラ無線システム中の送受信機としての役目を果たす。加入者端末は、無線基地局装置１１０を通じて伝播する信号によって相互間の接続を確立する。加入者端末１００は例えば移動電話でもよい。図１に提示される無線システムは、例えばＧＳＭシステムでもよく、その無線システムでは、例えばＴＤＭＡシステムを使用してもよい。
【００１３】
ＧＳＭシステムでは、物理チャネルのグリッド上で移送されるいくつかの論理チャネルが存在する。各論理チャネルは特定の役割を果たす。論理チャネルは、トラフィック・チャネル（ＴＣＨ）と制御チャネル（ＣＣＨ）という２つのカテゴリに分類できる。ＧＳＭ音声トラフィック・チャネルは、ＴＣＨ／ＦＳ（フルレート音声チャネル）と、ＴＣＨ／ＨＳ（ハーフレート音声チャネル）と、ＴＣＨ／ＥＦＳ（ＥＦＲ音声チャネル）と、ＴＣＨ／ＡＦＳ（ＦＲチャネル上のＡＭＲ音声）と、ＴＣＨ／ＡＨＳ（ＨＲチャネル上のＡＭＲ音声）とである。さらに、ＧＳＭで定義されるいくつかの制御チャネルが存在し、その大部分は呼の設定と同期化のために使用される。しかし、ＳＡＣＣＨ（スロー・アソシエイテッド制御チャネル）と、ＦＡＣＣＨ（ファスト・アソシエイテッド制御チャネル）と、ＲＡＴＳＣＣＨ（ロバストＡＭＲトラフィック同期制御チャネル）とのチャネルは、ＡＭＲ呼がアクティブである間に必要となる。ＳＡＣＣＨとＦＡＣＣＨはどちらも接続中の信号データの送信用に使用されるが、２６番目のＴＤＭＡフレーム毎に割り当てられた１つのＳＡＣＣＨタイムスロットが存在し、ＦＡＣＣＨチャネルは必要な場合だけ使用される。また、ＲＡＴＳＣＣＨは、接続中に無線インタフェース上のＡＭＲ設定を修正するために使用されるが、これも必要な場合だけ使用される。ＦＡＣＣＨまたはＲＡＴＳＣＣＨが必要な場合、ＴＣＨ音声フレームから「盗む」ことで必要なタイムスロットを割り当てられる。
【００１４】
従来のＧＳＭ音声コーディングでは、音声コーデックは一定のレートを有していた。ＧＳＭシステムでは、ＲＰＥ−ＬＴＰ（規則的パルス励起長期予測）法に基づくフルレート（ＦＲ）音声コーデックと、ＣＥＬＰ／ＶＣＥＬＰ（コードブック励起線形予測）法に基づくハーフレート（ＨＲ）音声コーデックと、ＡＣＥＬＰ（代数コードブック励起線形予測）法に基づく拡張フルレート（ＥＦＲ）音声コーデックという３つの音声コーデックが存在した。音声コーデックは２０ｍｓ毎に音声パラメータをチャネル・コーデックに供給する。アクティブな呼の論理チャネル・マッピングは１２０ｍｓ継続するので、６つの音声フレームが含まれる。フルレート・トラフィック・チャネル（ＴＣＨ／ＦＳ）と、拡張符号化を使用するフルレート・トラフィック・チャネル（ＴＣＨ／ＥＦＳ）との両方では、ＴＣＨ情報を含む４番目のバースト毎に新しい音声フレームが送信される。音声フレーム２０ｍｓ毎に、フルレート音声コーデックは２６０ビットを供給し、拡張フルレート音声コーデックＥＦＲは符号化音声パラメータを表す２４４ビットを供給し、それぞれ１３ｋｂｉｔ／ｓと１２．２ｋｂｉｔ／ｓとの出力ビットレートを生じる。ハーフレート・トラフィック・チャネル（ＴＣＨ／ＨＳ）では、ＴＣＨ情報を含む２番目のバースト毎に新しい音声フレームが送信される。音声フレーム２０ｍｓ毎に、ハーフレート音声コーデックＨＲは符号化音声パラメータを表す１１２ビットを供給し、５．６ｋｂｉｔ／ｓの出力ビットレートを生じる。
【００１５】
符号化音声パラメータを表す出力ビットはチャネル符号器に供給される。チャネル符号化は、情報シーケンスへの冗長性の追加を担当する機能の集合である。符号化は普通、一定の数の入力ビットに対して行われる。高い符号化利得は、符号化の複雑さを増大することによって達成される。しかし、伝送遅延とハードウェア・リソースの制限のため、実時間環境で使用できる複雑さには限度がある。
【００１６】
以下、図２を参照すると、符号器中のチャネル符号化チェーンが例示される。音声パラメータのチャネル符号化はいくつかのブロックからなる。音声パラメータのビットに対して主観的重要度に応じたビット並べ替え（２００）が行われ、ビットを１Ａ、１Ｂ及び２のカテゴリに分類する。最も重要なビット、すなわちクラス１Ａビットについて、ＣＲＣ（巡回冗長検査、２０２）が計算される。ＣＲＣ技術は、伝送フレーム中のエラーを検出するため受信機が使用できる小数の追加ビットを送信するクラス１ＢビットはＣＲＣによって保護されない。クラス１Ａ及び１ｂビットはどちらも、畳み込み符号化（２０４）によって保護されるが、これはチャネル中で送信されるビットに冗長性を追加する方法である。畳み込み符号器は入力ビットより多くの出力ビットを生じる。冗長性を追加するこの方法によって、受信機は畳み込み符号化ビットに対して最尤アルゴリズムを実行することができ、伝送中に生じた信号エラーの訂正が可能になる。チャネル中で送信できるビットの数は制限されている。パンクチャリング（２０６）は、畳み込み符号化データからビットを削除することによってチャネル上で送信されるビット数を減らす方法である。復号器にはどのビットが間引きされたかが分かっており、そのためのプレースホルダを追加する。ＦＲチャネルでは、２０ｍｓ当たり４５６ビットを送信できるので、フルレート・トラフィック・チャネルにおける総レートは２２．８ｋｂｉｔ／ｓとなる。従って、ＨＲチャネルでは、２０ｍｓ当たり２２８ビットを送信できるので、総レートは１１．４ｋｂｉｔ／ｓとなるが、これはフルレート・トラフィック・チャネルで使用できる総レートのちょうど半分である。
【００１７】
上記で説明されたように、以前のＧＳＭコーデックは全て、チャネルの品質とは無関係に、音声及びチャネル間の符号化ビットレートの固定パーティショニングによって動作する。こうしたビットレートはトラフィック・チャネルの変更（ＦＲからＨＲ、またはその逆）が行われない限り変更されず、しかもこれはレイヤ３（Ｌ３）信号を必要とする緩慢な処理である。この固定的なパーティショニングは、チャネル符号化が提供する保護は通信路の条件に大きく依存するという事実を使用していない。通信路の条件が良好な場合、より低いチャネル符号化ビットレートを使用することができるので、音声コーデック用のビットレートを高くすることができる。従って、音声及び通信路間の符号化ビットレートの動的パーティショニングを可能にすれば、総合音声品質が増大するだろう。この考え方が発展し、ＡＭＲコーデックの標準化につながった。
【００１８】
ＡＭＲコーデックは、常に最適なチャネル及びコーデック・モード（音声及びチャネルのビットレート）を選択し、最良の総合音声品質を達成することを目指してエラー保護レベルを無線チャネル及びトラフィック条件に適応化する。ＡＭＲコーデックはＧＳＭ  ＦＲまたはＨＲ何れかのチャネルで動作し、良好な条件では有線に匹敵する音声品質をユーザに提供する。
【００１９】
ＡＭＲ音声符号化器は、マルチレート音声符号化器と、音声アクティビティ検出器及びコンフォートノイズ生成システムを含むソース制御レート・スキームと、伝送エラー及び損失パケットの影響を抑制するエラー隠蔽機構とからなる。マルチレート音声符号化器は、４．７５ｋｂｉｔ／ｓから１２．２ｋｂｉｔ／ｓの８つのソースレートと低レート背景雑音符号化モードとによる単一の統合音声コーデックである。音声符号化器は、指令に応じて音声フレーム２０ｍｓ毎にビットレートを切り換えることができる。
【００２０】
ＡＭＲコーデックは、ビットレートが１２．２、１０．２、７．９５、７．４、６．７、５．９、５．１５、及び４．７５ｋｂｉｔ／ｓである８つの音声コーデックを含む。下記の表に示されるように、フルレート・チャネルの場合全ての音声コーデックが定義されるが、ハーフレート・チャネルの場合最下位側の６つが定義される。
【００２１】
【表１】
2004530339.tif 000003
【００２２】
移動局は全てのコーデック・モードを実装しなければならない。しかし、ネットワークは任意の組合せのコーデック・モードをサポートできる。ＡＭＲの場合、コーデック・モードの選択は、１〜４のＡＭＲコーデック・モードを含みうるコーデック・モードの集合（ＡＣＳ、アクティブ・コーデック・セット）からなされる。この集合は、ハンドオーバ状況またはＲＡＴＳＣＣＨ信号により、呼設定段階で再設定できる。各コーデック・モードは、音声及びチャネル間の符号化の種々の分配を通じて種々のレベルのエラー保護を提供する。音声コーデック・モードは全て、Ｌ３信号の関与なしで変更可能であり、チャネル条件が変わった場合モード間の高速な移行が可能である。
【００２３】
図３は、種々のコーデック・モードについてのＴＣＨ／ＡＦＳフレームの形成を例示する。例えば１２．２ｋｂｉｔ／ｓの場合を使用すると、フレームの構築は、音声コーデックが出力する２４４ビットから開始される。音声フレーム・ビットは並べ替えられ、クラス１Ａ（８１ビット）と１Ｂ（１６３ビット）とに分類される。８１のクラス１Ａビットを保護するため、６ビットのＣＲＣが計算される。４ビットのテールビットが２５０ビットのブロックに追加されるが、このテールビットはチャネル符号器を終端するために使用される。２５４ビット（２４４＋６＋４）のブロックに対して１／２レート畳み込み符号化が実行され、その結果５０８ビットのブロックを生じる。次に５０８ビットのブロックはパンクチャリングされるので、ビット数は４４８ビットに減少する。最後に、帯域内データを含む８ビットが追加される。データの最終的なブロックは４５６ビット長である。
【００２４】
図３に示されるように、入力（音声パラメータ）のビット数がモード毎に異なっても、ＴＣＨ／ＡＦＳチャネル符号化フレームは全て同じ長さ（４５６ビット）を有する。異なる数の入力ビットも、各モードについての畳み込みコーディング・レートとパンクチャリング・レートとを変化させることでちょうど４５６出力ビットに符号化される。２０ｍｓ毎に４５６ビットを送信すると総レートは２２．８ｋｂｉｔ／ｓとなり、ＧＳＭシステムのフルレート・トラフィック・チャネルで利用可能な全てのビットを使用することになる。
【００２５】
図４は、６つの異なるコーデック・モードについてのＴＣＨ／ＡＨＳフレームの形成を示す。フレーム構築の原理は、いくつかの例外を除いて、ＴＣＨ／ＡＦＳフレームの場合と同様である。ビットの並べ替えでは、ビットはクラス１Ａ、１Ｂ及び２のビットに分類されるが、それに対してＴＣＨ／ＡＦＳフレームではクラス１Ａ及び１Ｂだけが使用される。このクラス２ビットは畳み込み符号化されない。さらに、畳み込み符号化フレームに追加されるのは帯域内データの４ビットだけである。全てのＴＣＨ／ＡＨＳコーデック・モードでは、チャネル符号化フレームは２２８ビット長である。２０ｍｓ毎に２２８ビットを送信すると総レートは１１．４ｋｂｉｔ／ｓとなり、ハーフレート・トラフィック・チャネルに対するＧＳＭシステムの要求を満たす。
【００２６】
前に説明したように、ＡＭＲについて定義される８つの音声コーデックが存在し、ＡＭＲコーデックは既存のＦＲ及びＨＲ両方のチャネルで使用できる。従って、ＡＭＲについて定義できる１４の異なるコーデック・モード（ＴＣＨ／ＡＦＳチャネル用が８、ＴＣＨ／ＡＨＳチャネル用が６）が存在する。
【００２７】
リンク適応化処理は、チャネル品質の測定を担当する。品質とありうるネットワーク制約（例えば、ネットワーク負荷）とに応じて、モード適応化は最適な音声及びチャネル・コーデックを選択する。移動局（ＭＳ）と無線基地局装置（ＢＴＳ）との両方はそれらの固有の受信経路についてチャネル品質推定を実行する。チャネル品質推定に基づいて、ＢＴＳはＭＳにコーデック・モード指令（ＣＭＣ、ＭＳがアップリンクで使用するモード）を送信し、ＭＳはＢＴＳにコーデック・モード要求（ＣＭＲ、ダウンリンクで使用するよう要求されるモード）を送信する。この信号は、音声データと共に帯域内で送信される。アップリンクのコーデック・モードはダウンリンクで使用されるものと異なってもよいが、チャネル・モード（フルレートまたはハーフレート）は同じでなければならない。この帯域内信号は、急速な通信路の変化に対する素早い適応を可能にするよう設計されていた。
【００２８】
ネットワークは、アップリンク及びダウンリンクのコーデック・モードとチャネル・モードとを制御する。移動局はネットワークからのコーデック・モード指令に従わなければならないが、ネットワークは任意の補完情報を使用してダウンリンク及びアップリンクのコーデック・モードを決定してもよい。
【００２９】
音声コーデックは、ユーザが音声を発しているか否かを絶えず監視している。通常、電話ユーザが音声を発しているのは通話時間の４０％未満である。ユーザが音声を発していない場合、基地局がイネーブルにすれば、ＢＳへのバーストの送信を停止することが可能である。これは、ＭＤの電池電力を節約し、無線インタフェースの干渉が減少するという利点を有する。ユーザが音声を発していない時間に送信が突然停止すると、アップリンク・ユーザは困惑し、送信の障害があると考えることになる。この不愉快な影響を避けるため、いわゆるコンフォートノイズ（無音として符号化されるパラメータ）を規則的な間隔で送信しなければならない。こうした間欠的送信はＤＴＸ（不連続ＴＸ）と呼ばれる。
【００３０】
ユーザが音声を発していないことに気付くと、音声コーデックはＤＴＸモードに移行し、そこで音声コーデックは音声パラメータの代わりに無音パラメータを符号化し、無音パラメータが符号化されたことをチャネル符号器に知らせる。チャネル符号器サブシステムは、フレームを送信しなければならないか否か、及び何を送信すべきかを決定する１組の規則に従わなければならない。ＡＭＲについて使用される１組の規則は、フルレート及びハーフレートの音声トラフィック・チャネルのＤＴＸとは大きく異なっている。
【００３１】
無音パラメータを含むＳＩＤ＿ＵＰＤＡＴＥフレーム、ＴＣＨ／ＡＦＳ上のＤＴＸ期間の開始を示すＳＩＤ＿ＦＩＲＳＴフレーム、ＴＣＨ／ＡＨＳ上のＤＴＸの開始を示すＳＩＤ＿ＦＩＲＳＴ＿Ｐ１及びＳＩＤ＿ＦＩＲＳＴ＿Ｐ２フレーム、ＤＴＸ期間の終了を示すＯＮＳＥＴフレーム、ＴＣＨ／ＡＨＳ上のＳＩＤ＿ＵＰＤＡＴＥフレーム中間での音声の開始を示すＳＩＤ＿ＵＰＤＡＴＥ＿ＩＮＨフレーム、及びＴＣＨ／ＡＨＳ上のＳＩＤ＿ＦＩＲＳＴが完了する前の音声の開始を示すＳＩＤ＿ＦＩＲＳＴ＿ＩＮＨフレームといった、いくつかの種類の新しいフレームがＡＭＲ  ＤＴＸについて定義されている。
【００３２】
こうした新しい種類のフレームは全て専用マーカによって識別されるので、受信機による検出が可能である。全てのフレームは、受信機がＤＴＸステートマシンの同期を継続し最新の帯域内情報を維持するために使用できる。ＳＩＤ＿ＵＰＤＡＴＥフレームだけは、音声コーデックによって使用できるパラメータ、すなわちノイズ・パラメータを送信する。ＳＩＤ＿ＵＰＤＡＴＥフレームは、無音パラメータをコーディングするために使用される３５ビットを伝達する。このビットは全て、１４ビットのＣＲＣによって保護される。４ビットのテールビットが４９ビットのブロックに追加される。５３ビット（３５＋１４＋４）のブロックに対して１／４レート畳み込み符号化が実行され、その結果２１２ビットのブロックを生じる。２１２ビットのマーカが符号化ノイズ・パラメータを含む２１２ビットに結合される。最後に、帯域内データ・パターンを含む２つの１６ビット長のパターンが追加される（１つはＭＩ用、もう１つはＭＲ／ＭＣ用）。ＴＣＨ／ＡＨＳの場合でも、データの最終的なブロックは４５６ビット長である。
【００３３】
音声コーデックによって無音として識別される最初のフレームについてのチャネル・コーダＤＴＸステートマシンの定義によって、ＳＩＤ＿ＦＩＲＳＴフレームを符号化しなければならない。それに続くフレームで音声が検出されなければ、ＭＳは次の２フレームについては何も送信せず、チャネル・コーダはＳＩＤ＿ＵＰＤＡＴＥフレームを符号化する。最初のＳＩＤ＿ＵＰＤＡＴＥフレームの後、８番目のフレーム毎にＳＩＤ＿ＵＰＤＡＴＥフレームを送信しなければならない。ＳＩＤ＿ＦＩＲＳＴ及びＳＩＤ＿ＵＰＤＡＴＥフレームに加えて、帯域内情報を送信するために使用されるいくつかの他の種類のＤＴＸフレームが仕様によって定義される。こうしたフレームはバースト中の空間を埋めるが、その空間はさもなければ対角インタリーブによって空きのまま残されるものである。ＯＮＳＥＴフレームはＤＴＸ期間の終了時に生成される。モード表示がＯＮＳＥＴフレームによって送信されるので、ＤＴＸ期間の後、受信機は、音声フレームと共に送信されるモード表示／モード要求の現在の様相と無関係に、使用されているモードを知ることができる。ＴＣＨ／ＡＫＳでだけは、ＳＩＤ＿ＦＩＲＳＴの２つの最初のバーストがすでに送信された後音声フレームが検出されると、ＳＩＤ＿ＦＩＲＳＴ＿ＩＮＨフレームが生成される。ＳＩＤ＿ＵＰＤＡＴＥ＿ＩＮＨフレームはＳＩＤ＿ＵＰＤＡＴＥフレームに対して同じ役割を有する。
【００３４】
可能な場合、より良好な音声品質を得るためには、送信された音声を復号せず、何回か再符号化することが望ましい。例えば、携帯電話から携帯電話への呼（ＭＭＣ）の場合、ネットワーク中の２つのトランスコーダで呼をトランスコーディングすることは望ましくない。そのため、例えばＧＳＭシステムでは、このいわゆるタンデム符号化を防止する方法が開発された。これはネットワークの既定の挙動ではないため、ネットワークによる符号化音声フレームの特殊な処理が必要である。この特殊な処理はタンデムフリー操作（ＴＦＯ）と呼ばれる。ＴＦＯの場合、ＲＡＴＳＣＣＨ（ロバストＡＭＲトラフィック同期制御チャネル）機構を使用して、追加のＬ３信号を使用せずに無線インタフェース上のＡＭＲ設定を修正してもよい。
【００３５】
各ＲＡＴＳＣＣＨメッセージは、それぞれのＲＡＴＳＣＣＨメッセージ識別子と、場合によってはメッセージ・パラメータとからなる。各メッセージについて正味合計３５ビットが利用可能である。ここまで、ＲＡＴＳＣＣＨプロトコル上で伝達される３つの異なる要求が定義された。ＲＡＴＳＣＣＨフレームを介して送信される要求は１つだけである。第１の要求はダウンリンクでコーデック・モード表示（ＣＭＩ）の位相を変更することである。帯域内ビットは時分割多重化されているので、１つのフレームはＣＭＩを含み、次の１つはコーデック・モード要求ＣＭＲを含む。このメッセージは、受信した帯域内ビットの意味を変更する。第２の要求は、音声伝送を中断することなく無線インタフェース上のＡＭＲ設定を変更するためのものである。この要求は、アクティブ・コーデック・セット、初期コーデック・モード、及び何組かのしきい値及びヒステリシス値といった、いくつかのパラメータを含む。しきい値及びヒステリシス値は、リンク適応化アルゴリズムの挙動を修正するために使用される。第３の要求はしきい値及びヒステリシス値だけを変更するためのものである。
【００３６】
合計で、正味３５ビットが各ＲＡＴＳＣＣＨについて利用可能である。このビットは全て、１４ビットのＣＲＣによって保護される。４ビットのテールビットが４９ビットのブロックに追加される。５３ビット（３５＋１４＋４）のブロックに対して１／４レート畳み込み符号化が実行され、その結果２１２ビットのブロックとなる。２１２ビットのマーカが、ＲＡＴＳＣＣＨメッセージを含む２１２ビットに結合される。最後に、帯域内データ・パターンを含む１６ビット長のパターンが追加される（１つはＭＩ用、もう１つはＭＲ／ＭＣ用）。ＴＣＨ／ＡＨＳでは、ＲＡＴＳＣＣＨは、ＲＡＴＳＣＣＨ＿ＭＡＲＫＥＲとＲＡＴＳＣＣＨ＿ＤＡＴＡという２つの連続音声フレームだけにマッピングされる。両者は常に１対として送信される。
【００３７】
ＦＡＣＣＨと同様、ＲＡＴＳＣＣＨもフレームを盗むことに基づいている。ＴＣＨ／ＡＦＳでは、各ＲＡＴＳＣＣＨメッセージについて１つの音声フレームを盗み、ＴＣＨ／ＡＨＳでは、２つの音声フレームを盗む。
【００３８】
例えば、ＧＳＭシステムでは、チャネル符号化アルゴリズムが詳細に特定されている。チャネル復号アルゴリズムを指定する代わりに、性能基準が定義されており、ＭＳはそれを満足しなければならない。ＧＳＭシステムで使用されるチャネル・コーデックについて設定されるいくつかの性能基準が存在し、その性能は、例えば任意のトラフィック・チャネルＴＣＨ上の受信データのフレーム消失率（ＦＥＲ）、ビットエラー率（ＢＥＲ）または残余ビットエラー率（ＲＢＥＲ）によって測定できる。ＧＳＭシステムの場合、この基準は、文書「３ＧＰＰ  ＴＳ  ０５．０５  Ｖ８．７．１、デジタル・セルラ通信システム（フェーズ２＋）、無線伝送及び受信（“３ＧＰＰ  ＴＳ  ０５．０５  Ｖ８．７．１，Ｄｉｇｉｔａｌ  ｃｅｌｌｕｌａｒ  ｔｅｌｅｃｏｍｍｕｎｉｃａｔｉｏｎｓ  ｓｙｓｔｅｍ（Ｐｈａｓｅ  ２＋）；Ｒａｄｉｏ  ｔｒａｎｓｍｉｓｓｉｏｎ  ａｎｄ  ｒｅｃｅｐｔｉｏｎ”）」でさらに明確に定義されている。チャネル・コーデックの開発と実現を促進し、受信機の性能を測定するため、システム・シミュレータ（ＳＳ）と呼ばれる特定の装置が定義されており、これは例えば型式承認のために使用することができる。チャネル復号器の性能を測定する１組の試験ループが開発されている。システム・シミュレータに接続した移動局で所定の試験ループを起動し、いくつかの基準に関する性能を測定する。ＧＳＭシステムの場合、こうした試験ループは、文書「ＧＳＭ  ０４．１４  ＥＴＳＩ  ＴＳ  １０１  ２９３  Ｖ８．１．０、デジタル・セルラ通信システム（フェーズ２＋）、個別機器型式要求及び相互動作、専用適合検査機能（“ＧＳＭ  ０４．１４  ＥＴＳＩ  ＴＳ  １０１  ２９３  Ｖ８．１．０，Ｄｉｇｉｔａｌ  ｃｅｌｌｕｌａｒ  ｔｅｌｅｃｏｍｍｕｎｉｃａｔｉｏｎｓ  ｓｙｓｔｅｍ（Ｐｈａｓｅ２＋）；Ｉｎｄｉｖｉｄｕａｌ  ｅｑｕｉｐｍｅｎｔ  ｔｙｐｅ  ｒｅｑｕｉｒｅｍｅｎｔｓ  ａｎｄ  ｉｎｔｅｒｗｏｒｋｉｎｇ；Ｓｐｅｃｉａｌ  ｃｏｎｆｏｒｍａｎｃｅ  ｔｅｓｔｉｎｇ  ｆｕｎｃｔｉｏｎ”）」でさらに明確に定義されている。
【００３９】
こうした検査ループは、以前のＧＳＭコーデックに特に適するように設計されている。しかし、ＡＭＲコーデックには、以前のコーデックに含まれない機能が含まれるため、周知の試験ループを使用してＡＭＲコーデックの全ての機能を試験することはできない。本発明は、ＡＭＲ試験に伴う問題の少なくともいくつかを解決する。
【００４０】
いくつかの問題はＤＴＸフレームの復号の性能を測定することに関する。また、同様の問題はＲＡＴＳＣＣＨフレームの復号の性能を測定することに関する。
【００４１】
ＡＭＲでは、２０ｍｓのフレーム毎に、チャネル復号器が音声復号器に復号音声パラメータ（またはＤＴＸの場合無音パラメータ）とＲＸ＿ＴＹＰＥ識別子とを供給することが期待される。この識別子は受信フレームの種類を分類する。ＲＸ＿ＴＹＰＥ識別子は以下の表で定義される。
【００４２】
【表２】
2004530339.tif 000004
【００４３】
チャネル復号器は２０ｍｓ毎に呼び出されるので、チャネル復号器は、２つの連続音声フレーム（ＴＣＨ／ＡＨＳ  ＳＩＤ＿ＵＰＤＡＴＥ及びＴＣＨ／ＡＨＳ  ＲＡＴＳＣＣＨフレーム）にマッピングされたフレームが復号される時に起動する。ＴＣＨ／ＡＨＳ  ＳＩＤ＿ＵＰＤＡＴＥの場合、第１のフレームはＮＯ＿ＤＡＴＡとして分類され、第２のフレームはＳＩＤ＿ＵＰＤＡＴＥとして分類される。ＴＣＨ／ＡＨＳ  ＲＡＴＳＣＣＨの場合、両方のフレームが音声復号器についてＮＯ＿ＤＡＴＡとして分類される。この分類に加えて、２つのフレームの１つはＲＡＴＳＣＣＨプロトコル処理ブロック用のＲＡＴＳＣＣＨとして信号される。
【００４４】
既存のループ原理によれば、移動局によってループバックされるフレームの種類は、使用される性能ループの種類に基づいている。ループが音声フレームのチャネル復号性能を試験するならば、音声フレームがＳＳにループバックされる。ループがＳＩＤ＿ＵＰＤＡＴＥ復号性能を試験するならば、ＳＩＤ＿ＵＰＤＡＴＥフレームがＳＳにループバックされる。予想されるように、２つの音声フレームにマッピレブされたフレームをループバックするには２つの音声フレームを要する。
【００４５】
ハーフレート・チャネルＴＣＨ／ＡＨＳを使用する場合ＲＡＴＳＣＣＨとＳＩＤ＿ＵＰＤＡＴＥとの両方を復号する性能を測定する際に問題が生じる。この問題は、実際のフレームを２つの連続音声フレームにマッピングすることによる。固定レート・チャネル・コーデックの以前のトラフィック・チャネル・フレームには１つの音声フレームの持続期間を有するフレームだけが含まれるので、既存の試験方法を使用して、ＴＣＨ／ＡＨＳ上のＲＡＴＳＣＣＨまたはＳＩＤ＿ＵＰＤＡＴＥ伝送を復号する性能を測定することはできない。現在の試験ループと試験機器（システム・シミュレータＳＳ）によって復号性能を測定しようとすると、同期の問題が発生する。
【００４６】
正しい位相でループが閉じられた場合、ＭＳによってループバックされる情報はＳＩＤ＿ＵＰＤＡＴＥパラメータ（ＳＩＤ＿ＵＰＤＡＴＥ性能ループの場合）及びＲＡＴＳＣＣＨパラメータ（ＲＡＴＳＣＣＨ性能ループの場合）となる。この状況では、ＳＳはＲＡＴＳＣＣＨ及びＳＩＤ＿ＵＰＤＡＴＥチャネル復号器の性能を正しく測定できる。
【００４７】
しかし、誤った位相でループが閉じられた場合、ＭＳによって返送される情報は全てゼロとなる。ＳＩＤ＿ＵＰＤＡＴＥ性能ループの場合、ループはＮＯ＿ＤＡＴＡが音声コーデックに報知される時発生する。ＲＡＴＳＣＣＨ性能ループの場合、ループはフレームがＲＡＴＳＣＣＨとして報知されない時発生する。この結果ＳＳではエラー状況が発生し、受信データからの測定によってＲＡＴＳＣＣＨ及びＳＩＤ＿ＵＰＤＡＴＥ伝送復号器の性能を決定することはできなくなる。
【００４８】
この問題を克服するため、新しい内部試験ループが開発された。この新しい試験ループでは、受信されたＲＡＴＳＣＣＨまたはＳＩＤ＿ＵＰＤＡＴＥフレームが復号器によって正しく復号された場合、復号されたＲＡＴＳＣＣＨパラメータまたは無音パラメータを復号器の出力から獲得しＡＭＲ音声フレームとしてループバックする。残りの音声フレーム・ビットはゼロ（消失したフレーム）として符号化される。次に、音声フレームを符号化しＳＳに送信する。音声フレームが継続するのは２０ｍｓだけなので、２つのフレームがＳＳにループバックされる。その１つは復号されたパラメータ（無音パラメータまたはＲＡＴＳＣＣＨパラメータ）を含み、もう１つは有用な情報を含まない。パラメータがループバックされるので、ＳＩＤ＿ＵＰＤＡＴＥまたはＲＡＴＳＣＣＨ伝送復号器の性能は有利にも決定できる。
【００４９】
新しい試験ループによる方法を図５の流れ図を参照して例示する。ＴＣＨフレームについてトランスペアレントな試験ループを確立するため、ＳＳとＭＳとの間のＴＣＨはアクティブでなければならない。ＴＣＨは好適にはＧＳＭシステム中で指定されるハーフレート・チャネルである。試験ループは適当な指令メッセージをＭＳに送信することによってＭＳ中で起動されるが、この指令は、例えばＧＳＭシステムによるＣＬＯＳＥ＿ＴＣＨ＿ＬＯＯＰ＿ＣＭＤメッセージでもよい。ＳＳは、ＴＣＨをループし消失した有効なＳＩＤ＿ＵＰＤＡＴＥまたはＲＡＴＳＣＣＨフレームをＭＳが報知するよう指定するＣＬＯＳＥ＿ＴＣＨ＿ＬＯＯＰ＿ＣＭＤメッセージを送信する（５００）ことによって、ＴＣＨループを閉じるようＭＳに命令する。次にＳＳは、ＭＳの応答制限時間を設定するタイマＴＴ０１を始動する（５０２）。ＴＣＨがアクティブでないか、または何らかの試験ループがすでに閉じている場合（５０４）、ＭＳはＣＬＯＳＥ＿ＴＣＨ＿ＬＯＯＰ＿ＣＭＤがあっても無視する（５０６）。ＴＣＨがアクティブな場合、ＭＳはその特定のＴＣＨについてのＴＣＨループを閉じ、ＳＳにＣＬＯＳＥ＿ＴＣＨ＿ＬＯＯＰ＿ＡＣＫを返送する（５０８）。そのメッセージを受信すると、ＳＳはタイマＴＴ０１を停止する（５１０）。
【００５０】
ＭＳがＴＣＨループを閉じた後、有効なＳＩＤ＿ＵＰＤＡＴＥまたはＲＡＴＳＣＣＨフレームとして識別される各フレームについて復号されたパラメータがチャネル復号器から得られ（５１２）、チャネル符号器に入力される（５１４）。ＳＩＤ＿ＵＰＤＡＴＥまたはＲＡＴＳＣＣＨフレームのデータ・ビット、プラス十分な数の埋めビットをＡＭＲ音声フレームとして符号化する（５１６）。ＳＩＤ＿ＵＰＤＡＴＥまたはＲＡＴＳＣＣＨフレームのデータ・ビットだけを含む音声フレームをＳＳへの同じＴＣＨ／ＡＨＳアップリンク上で畳み込み符号化して送信する（５１８）。有効なＳＩＤ＿ＵＰＤＡＴＥまたはＲＡＴＳＣＣＨフレームが復号器によって検出されない場合、このことは、音声フレームをゼロとして符号化するよう設定し、この畳み込み符号化したフレームを同じＴＣＨ／ＡＨＳアップリンク上でＳＳに送信することによってＳＳに示される。これは例えば、受信したフレーム・パターンがＳＩＤ＿ＵＰＤＡＴＥまたはＲＡＴＳＣＣＨフレーム・パターンとして識別されないか、またはフレーム・パターンは識別されるがＣＲＣビットが破損している場合に発生することがある。
【００５１】
ＳＳは、例えばそれぞれ消失した有効なＳＩＤ＿ＵＰＤＡＴＥフレームレート（ＴＣＨ／ＡＨＳ  ＥＶＳＩＤＵＲ）または消失した有効なＲＡＴＳＣＣＨフレームレート（ＴＣＨ／ＡＨＳ  ＥＶＲＦＲ）を決定することによって、受信した消失したＳＩＤ＿ＵＰＤＡＴＥまたはＲＡＴＳＣＣＨフレームからＳＩＤ＿ＵＰＤＡＴＥまたはＲＡＴＳＣＣＨフレーム復号器の性能を決定する（５２０）。
【００５２】
ＣＬＯＳＥ＿ＴＣＨ＿ＬＯＯＰ＿ＣＭＤメッセージの内容は、上記の文書ＧＳＭ０４．１４でさらに明確に定義されている。このメッセージは、ＳＳからＭＳの方向にだけ送信される。ＣＬＯＳＥ＿ＴＣＨ＿ＬＯＯＰ＿ＣＭＤメッセージは、どちらも文書「ＧＳＭ  ０４．０７、１１．１．１及び１１．１．２節」でさらに明確に定義されているプロトコル判別子フィールド及びスキップ指示子フィールドと、全てゼロとして定義される８ビットの長さを有するメッセージ・タイプ・フィールドと、やはり８ビットの長さを有するサブチャネル・フィールドという４つの情報要素を備えている。サブチャネル・フィールド・ビットのうち５ビットはメッセージ内容を定義する上で特定の意味を有し、Ｘ、Ｙ、Ｚ、Ａ及びＢビットと呼ばれる。３ビットはゼロに設定される予備ビットである。
【００５３】
予備ビットの１つが有利にもメッセージ内容を定義する際特定の意味を割り当てられる場合、本発明による試験ループの起動は、ＣＬＯＳＥ＿ＴＣＨ＿ＬＯＯＰ＿ＣＭＤメッセージによって実現できる。この新しいビットは、例えばＣビットと呼んでもよい。次に、値１を有するＣを定義すると、特定のビットの組合せによって新しいメッセージ内容を定義できる。例えば、Ａ＝０、Ｂ＝０及びＣ＝１というビットの組合せを定義できるが、これは、ループされるＴＣＨがＴＣＨ／ＡＨＳでありＳＩＤ＿ＵＰＤＡＴＥフレームを送信する場合、有効なＳＩＤ＿ＵＰＤＡＴＥフレーム消失が報知されるという意味である。それに応じて、Ａ＝０、Ｂ＝１及びＣ＝１という別のビットの組合せが定義できるが、これは、ループされるＴＣＨがＴＣＨ／ＡＨＳでありＲＡＴＳＣＣＨフレームを送信する場合、有効なＲＡＴＳＣＣＨフレーム消失が報知されるという意味である。当業者に明らかなように、任意の他の適当なビットの組合せも使用できる。Ｘビットの値は、アクティブなフルレート・チャネルが１つだけ存在しているか、または利用可能なサブチャネルの１つが使用されているかを示す。Ｙ及びＺビットの値は破棄してもよい。
【００５４】
特にＲＡＴＳＣＣＨ伝送に適用可能な本発明の第２の実施形態によれば、各受信ＲＡＴＳＣＣＨフレームは復号器の出力から個別に獲得される。第１のフレームはＲＡＴＳＣＣＨ＿ＭＡＲＫＥＲフレームと呼ばれ、第２のフレームはＲＡＴＳＣＣＨ＿ＤＡＴＡフレームと呼ばれる。ＲＡＴＳＣＣＨ＿ＭＡＲＫＥＲフレームとＲＡＴＳＣＣＨ＿ＤＡＴＡフレームとの両者は復号器の出力から個別に獲得され、それぞれＲＥＣＥＩＶＥＲ＿ＭＡＲＫＥＲフレーム及びＲＥＣＥＩＶＥＤ＿ＤＡＴＡフレームとして符号器に入力される。ＲＡＴＳＣＣＨ＿ＭＡＲＫＥＲフレームが識別されないか、またはＲＡＴＳＣＣＨ＿ＤＡＴＡフレームが破損したＣＲＣを有している場合、ＢＡＤ＿ＦＲＡＭＥフレームが符号器に入力される。ＲＥＣＥＩＶＥＲ＿ＭＡＲＫＥＲフレームとＢＡＤ＿ＦＲＡＭＥフレームとの両者は所定のパターンからなり、ＲＥＣＥＩＶＥＤ＿ＤＡＴＡフレームはＲＡＴＳＣＣＨ＿ＤＡＴＡフレーム中で送信されるデータ・ビットを備えている。ループバックされる全てのフレーム、すなわちＲＥＣＥＩＶＥＲ＿ＭＡＲＫＥＲフレームと、ＢＡＤ＿ＦＲＡＭＥフレームと、ＲＥＣＥＩＶＥＤ＿ＤＡＴＡフレームとは符号化し、２０ｍｓフレームにマッピングすることができる。この２０ｍｓフレームは、例えばＡＭＲ音声フレームでよく、残りの音声フレーム・ビットはゼロ、またはＲＡＴＳＣＣＨ＿ＤＡＴＡフレームとして符号化される。次に、この２０ｍｓフレームをＳＳに送信する。この方法で、ＲＡＴＳＣＣＨ＿ＭＡＲＫＥＲフレームの識別に成功した報告が常にＳＳに戻される。ＳＳに返送されるフレームは１つの音声フレームだけの長さを有しているため、ＭＳとＳＳとの間の同期は有利にも必要ない。
【００５５】
本発明の第３の実施形態によれば、ＭＳとＳＳとの間のフレーム伝送（ダウンリンク／アップリンク）の同期は、試験ループが閉じられている時にダウンリンク伝送とアップリンク伝送とについて特定のＴＤＭＡフレーム数を設定することによって達成できる。この方法で、受信されたＲＡＴＳＣＣＨまたはＳＩＤ＿ＵＰＤＡＴＥフレームは所定のフレーム中でＭＳからＳＳに自動的に返送され、同期のための他の機構は必要ない。
【００５６】
本発明の第４の実施形態によれば、ＭＳとＳＳとの間のフレーム伝送（ダウンリンク／アップリンク）の同期は、特にＲＡＴＳＣＣＨフレームをハーフレートで送信する場合、有効なＲＡＴＳＣＣＨフレームが受信されたならばすぐにＭＳに現在送信されているＲＡＴＳＣＣＨフレームをキャンセルさせることによって達成できる。次に、有効なＲＡＴＳＣＣＨフレームのＲＡＴＳＣＣＨパラメータをアップリンクＲＡＴＳＣＣＨチャネル中でループバックする。この方法でも、受信されたＲＡＴＳＣＣＨフレームは、同期が明示的に指定される形でＭＳからＳＳに自動的に返送される。
【００５７】
図６の構成図は、本発明による試験構成に適用可能な装置を例示する。システム・シミュレータ６００は無作為／一定の音声パラメータ・パターンを生成する生成器６０２を備えており、この音声パラメータ・パターンは次にチャネル符号器６０４に入力され符号化される。チャネル符号化された音声フレームは次に送信手段６０６に供給され、チャネル・シミュレータ６０８を介して移動局６１０にさらに送信される。移動局６１０は送信を受信する受信手段６１２を備えており、そこからチャネル符号化音声フレームがチャネル復号器６１４に入力される。移動局６１０は、試験ループを実現し、システム・シミュレータ６００によって与えられる命令に応じて特定の試験ループを実行する手段６１６を備えている。使用される試験ループは、例えば、上記で説明されたように、ＣＬＯＳＥ＿ＴＣＨ＿ＬＯＯＰ＿ＣＭＤメッセージによって定義できる。試験ループの出力は、符号化のためチャネル符号器６１８に供給される。次に、チャネル符号化データは送信手段６２０に供給され、さらにシステム・シミュレータ６００に送信される。また、システム・シミュレータ６００は送信を受信する受信手段６２２を備えており、そこからチャネル符号化データがチャネル復号器６２４に入力される。システム・シミュレータ６００は、受信データを送信パターンと比較する比較手段６２６を備えており、前記比較の結果、復号の性能が測定できる。
【００５８】
当業者に明らかなように、技術的進歩の過程で、本発明の基本的な考え方は非常に多くの方法で実行できる。すなわち、本発明及びその実施形態は上記の例によって制限されるものではなく、添付の請求項の範囲内で変化しうるものである。
【図面の簡単な説明】
【００５９】
以下、本発明は好適実施形態に関連し添付の図面を参照してさらに詳細に説明される。
【図１】本発明の方法を使用する無線システムを示す。
【図２】符号器中のチャネル符号化チェーンの全体構造を示す。
【図３】種々のコーデック・モードについてのＴＣＨ／ＡＦＳフレームの形成を例示する。
【図４】種々のコーデック・モードについてのＴＣＨ／ＡＨＳフレームの形成を例示する。
【図５】本発明による新しい試験方法を例示する流れ図を示す。
【図６】本発明による方法を実現する試験装置を例示する構成図を示す。
【図５】
2004530339.tif 000005
【国際公開パンフレット】
2004530339.tif 000006
2004530339.tif 000007
2004530339.tif 000008
2004530339.tif 000009
2004530339.tif 000010
2004530339.tif 000011
2004530339.tif 000012
2004530339.tif 000013
2004530339.tif 000014
2004530339.tif 000015
2004530339.tif 000016
2004530339.tif 000017
2004530339.tif 000018
2004530339.tif 000019
2004530339.tif 000020
2004530339.tif 000021
2004530339.tif 000022
2004530339.tif 000023
2004530339.tif 000024
2004530339.tif 000025
2004530339.tif 000026
2004530339.tif 000027
2004530339.tif 000028
2004530339.tif 000029
2004530339.tif 000030
2004530339.tif 000031
2004530339.tif 000032
【国際調査報告】
2004530339.tif 000033
2004530339.tif 000034